(57)【要約】【課題】  使用者が室内外に容易に設置することができる太陽熱温水器を提供する。【解決手段】  太陽熱温水器１０は、ポリタンク１ａ、ポリタンク１ｂ、ポリタンク１ｃを備えている。ポリタンク１ａ、ポリタンク１ｂ、ポリタンク１ｃの間には送水管部３が設けられ、互いに送水可能な状態で連設されている。ポリタンク１ａ、ポリタンク１ｂ、ポリタンク１ｃには、送水孔３１が形成されている。送水管部３は、送水孔３１に固定されるスルハル３２と、スルハル３２に固定される送水管３３とを有している。ポリタンク１ｃには、給湯管部４が設けられている。【選択図】  図１
0003169931.tif 000002
【実用新案登録請求の範囲】
【請求項１】
内部に水を収納可能なポリタンクを、互いに送水可能な状態で接合して複数個連設させたことを特徴とする太陽熱温水器であって、ポリタンク本体と、各ポリタンク本体の間に設けられた送水管部と、作成された温水を給湯しうる給湯管部とを備えたことを特徴とする太陽熱温水器。
【請求項２】
前記ポリタンク本体は水を注水しうる注水孔を有すると共に下部には送水孔が開設され、前記送水管部は前記送水孔に固定されるスルハルと、前記スルハルに接合される送水管本体とを有することを特徴とする請求項１に記載の太陽熱温水器。
【請求項３】
前記ポリタンク本体には、前記作成された温水の給湯量を設定すると自動的に止水する自動止水栓が取り付けられたことを特徴とする請求項２に記載の太陽熱温水器。
【請求項４】
前記給湯管部は、手動で止水する止水栓が取り付けられたことを特徴とする請求項２に記載の太陽熱温水器。
【請求項５】
前記ポリタンク本体は、断熱カバーで全体を被覆されたことを特徴とする請求項１乃至請求項４のいずれか１項に記載の太陽熱温水器。
【請求項６】
前記スルハルは、Ｌ型またはＩ型であることを特徴とする請求項１乃至請求項５のいずれか１項に記載の太陽熱温水器。
【考案の詳細な説明】
【技術分野】
【０００１】
本考案は、太陽熱温水器に係り、特に、内部に収納された水を太陽熱により温水化するための太陽熱温水器に関する。
【背景技術】
【０００２】
従来、太陽熱温水器では、屋上や屋根上に太陽熱集熱器および貯液タンクを配置し、水道の水圧やポンプ等により太陽熱集熱器および貯液タンクに水を送り込み、太陽の輻射熱で太陽熱集熱器中の水を温める方式が取られている。
【考案の開示】
【考案が解決しようとする課題】
【０００３】
しかしながら、従来の太陽熱温水器では、屋上や屋根上に大型の太陽熱集熱器や貯液タンクを固定、設置するために、専門業者による工事やメンテナンスが必要となり、コストがかかるという問題がある。また、大型の太陽熱集熱器および貯液タンクは家屋に負担をかけるおそれがあり、特に、賃貸戸健住宅や集合住宅では、屋上や屋根上に太陽熱温水器を設置する際に、家主等から設置許可を得ることが困難な場合もある。
【０００４】
本考案は上記事案に鑑み、使用者が室内外に容易に設置することができる太陽熱温水器を提供することを課題とする。
【課題を解決するための手段】
【０００５】
上記課題を解決するために、請求項１の考案に係る太陽熱温水器は、内部に水を収納可能なポリタンクを、互いに送水可能な状態で接合して複数個連設させたことを特徴とする太陽熱温水器であって、ポリタンク本体と、各ポリタンク本体の間に設けられた送水管部と、作成された温水を給湯しうる給湯管部とを備えたことを特徴とする。
【０００６】
従って、使用者がベランダや窓際等の室内外に容易に設置することができると共に、分解することができるため屋外へも容易に持ち運ぶことができる。また、温水を使用する浴槽等とポリタンク本体とを給湯管部で接合することで、複数の容器を置く位置と浴槽等の位置との落差を利用して、無動力で浴槽等に給湯することができる。
【０００７】
請求項２の考案に係る太陽熱温水器は、前記ポリタンク本体は水を注水しうる注水孔を有すると共に下部には送水孔が開設され、前記送水管部は前記送水孔に固定されるスルハルと、前記スルハルに接合される送水管本体とを有することを特徴とする。
【０００８】
従って、必要な個数のポリタンクを互いに送水可能な状態で連設することができる。
【０００９】
請求項３に係る太陽熱温水器は、前記ポリタンク本体には、前記作成された温水の給湯量を設定すると自動的に止水する自動止水栓が取り付けられたことを特徴とする。
【００１０】
従って、温水を使用する浴槽等で必要な量にあらかじめ設定すれば、必要な量の温水を自動的に複数の容器から浴槽等へ給湯することができる。
【００１１】
請求項４に係る太陽熱温水器は、前記給湯管部は、手動で止水する止水栓が取り付けられたことを特徴とする。
【００１２】
従って、必要な温水の量をあらかじめ設定しなくても、手動で自由に止水することができる。
【００１３】
請求項５に係る太陽熱温水器は、前記ポリタンク本体は、断熱カバーで全体を被覆されたことを特徴とする。
【００１４】
従って、複数の容器が断熱されるため、太陽熱で加熱された温水をすぐに使用しない場合でも、温水の温度を一定に保つことができる。
【００１５】
請求項６に係る太陽熱温水器は、前記スルハルがＬ型またはＩ型であることを特徴とする。
【００１６】
従って、複数の容器を設置するスペースがあれば、複数の容器を必要な個数だけ直列ないし並列に連設することができる。
【考案の効果】
【００１７】
請求項１の考案にあっては、上記に構成されているので、使用者がベランダや窓際等の室内外に容易に設置することができるため、専門業者による工事が不要となる。また、従来のものより軽量のため家屋への負担が軽減されるので、賃貸戸健住宅や集合住宅においても、家主等から設置許可を得なくても太陽熱温水器を設置することができる。更に、分解することができるため屋外へも容易に持ち運ぶことができ、キャンプ場、海水浴場、屋内外体育館、臨時非難施設、自衛隊等の野営テント施設、その他臨時的施設等の様々な場所に設置することができる。また更に、温水を使用する浴槽等とポリタンク本体とを給湯管部で接合することで、ポリタンクを置く位置と浴槽等の位置との落差を利用して、無動力で浴槽等に給湯することができる。このため、ポンプ等を設置しなくても、容易に浴槽等への給湯することができる。
【００１８】
請求項２の考案にあっては、上記に構成されているので、必要な個数のポリタンクを互いに送水可能な状態で連設することができる。このため、必要に応じてポリタンクの個数を自由に調整することができる。
【００１９】
請求項３の考案にあっては、上記に構成されているので、温水を使用する浴槽等で必要な量にあらかじめ設定すれば、必要な量の温水を自動的にポリタンクから浴槽等へ給湯することができる。
【００２０】
請求項４の考案にあっては、上記に構成されているので、必要な温水の量をあらかじめ設定しなくても、止水したい時に、手動で自由に止水することができる。
【００２１】
請求項５の考案にあっては、上記に構成されているので、複数の容器が断熱されるため、太陽熱で加熱された温水をすぐに使用しない場合でも、温水の温度を一定に保つことができる。このため、温水を使用したいときに浴槽等に給湯することができる。
【００２２】
請求項６の考案にあっては、上記に構成されているので、設置するスペースがあれば、ポリタンクを必要な個数だけ直列ないし並列に連結することができる。このため、ポリタンクを容易に増設できると共に、ポリタンクの連設する数を調整することで、給湯できる量を調整することができる。
【図面の簡単な説明】
【００２３】
【図１】本考案を適用した実施形態の太陽熱温水器を模式的に示す側面図である。
【図２】送水孔部にＬ型スルハルを固定する手順を模式的に示す説明図である。
【考案を実施するための最良の形態】
【００２４】
以下、図面を参照して、本考案を適用した太陽熱温水器の実施の形態について説明する。
【００２５】
（構成）
図１に示すように、本実施形態の太陽熱温水器１０は、水を内部に収納可能なポリタンク１ａ、ポリタンク１ｂ、ポリタンク１ｃと、３つのポリタンク１ａおよびポリタンク１ｂ間、ポリタンク１ｂおよびポリタンク１ｃ間にそれぞれ設けられ、互いに送水可能な状態で接合するための２つの送水管部３と、ポリタンク１ｃに設けられ、作成された湯水を給湯しうる給湯管部４と、を備えている。
【００２６】
ポリタンク１ａ、ポリタンク１ｂ、ポリタンク１ｃは、いずれも、略直方体のポリエチレン製のタンクである。ポリタンク１ａ、ポリタンク１ｂ、ポリタンク１ｃの上部には、内部の空気を抜くための通気孔５０および水を注水しうる注水孔２がそれぞれ形成されており、それぞれ１８Ｌの水を収納することができる。通気孔５０は、直径２〜３ｍｍの大きさに形成されている。通気孔５０を形成することにより、注水孔２から水を給水する際に、ポリタンク１ａ、ポリタンク１ｂ、ポリタンク１ｃの全てに水を給水しやすくすることができる。
【００２７】
ポリタンク１ａには、側面の底面側（下部）に送水孔３１が１つ形成されている。ポリタンク１ｂには、側面の底面側（下部）に送水孔３１が２つ形成されている。ポリタンク１ｃには、側面の底面部（下部）に送水孔３１および給湯孔４１が形成されている。
【００２８】
送水管部３は、送水孔３１にそれぞれ固定されたスルハル３２と、スルハル３２に接合された送水管３３とを有している。図２に示すように、スルハル３２は、本例では、Ｌ型に形成されており、一端の側面に螺旋状の溝３２２が形成され、ナット３２１が配置されている。送水孔３１にスルハル３２を配置し、ナット３２１を回転させることで、スルハル３２を送水孔３１に固定することができる。スルハル３２には、プラスチック、塩化ビニル、金属、木等の材質を用いるものがあるが、本例では、プラスチック製のものが用いられている。送水孔３１に固定されたスルハル３２には、送水管３３の両端部が取り付けられている。送水管３３には、本例では、合成樹脂製のホースが用いられている。すなわち、ポリタンク１ａ、ポリタンク１ｂ、ポリタンク１ｃは、２つの送水管部３で、互いに送水可能な状態で接合され、直列に連設されている。
【００２９】
給湯管部４は、ポリタンク１ｃに開設された給湯孔４１に固定されたスルハル４２と、スルハル４２に接合された給湯管４３とを有している。すなわち、ポリタンク１ｃの給湯孔４１には、スルハル４２が固定され、スルハル４２には、給湯管４３一端が取り付けられている。給湯管４３の他端には、手動で止水することができる止水栓４４が取り付けられている。給湯管４３には、本例では、合成樹脂製のホースが用いられている。
【００３０】
（作用等）
次に、本実施形態の太陽熱温水器１０の作用等について、説明する。
【００３１】
本実施形態の太陽熱温水器１０では、ポリタンク１ａ、ポリタンク１ｂ、ポリタンク１ｃの間に送水管部３が設けられ、互いの送水可能な状態で接合されて連設されている。このため、使用者がベランダや窓際等の室内外に容易に設置することができる。更に、容易に分解することができるため屋外へも容易に持ち運ぶことができ、キャンプ場、海水浴場、屋内外体育館、臨時非難施設、自衛隊等の野営テント施設、その他臨時的施設等の様々な場所に設置することができる。
【００３２】
また、本実施形態の太陽熱温水器１０では、ポリタンク１ｃに、作成された温水を給湯しうる給湯管部４が設けられている。このため、温水を使用する浴槽等とポリタンク本体とを給湯管部４で接合することで、ポリタンク１ａ、ポリタンク１ｂ、ポリタンク１ｃを置く位置と浴槽等の位置との落差を利用して、無動力で浴槽等に給湯することができる。このため、ポンプ等を設置しなくても、容易に浴槽等への給湯することができる。
【００３３】
更に、本実施形態の太陽熱温水器１０では、送水管部３が送水孔３１に固定されたスルハル３２と、スルハル３２に接合される送水管３３とを有している。このため、必要な個数のポリタンクを互いに送水可能な状態で連設することができるので、必要に応じてポリタンクの個数を自由に調整することができる。
【００３４】
なお、本実施形態では、ポリタンク１ａ、ポリタンク１ｂ、ポリタンク１ｃが直列に連設される例を示したが、本考案はこれに限定されるものではなく、ポリタンクを設置するスペースがあれば、必要に応じて、ポリタンクの数を増やしてもよい。また、本実施形態では、Ｌ型のスルハル３２を用いる例を示したが、本考案はこれに限定されるものではなく、Ｉ型のスルハルを用いてもよい。Ｌ型のスルハル３２とＩ型のスルハルを併用すれば、必要な個数のポリタンクを直列ないし並列に連結することができるため、ポリタンクの増設がより容易となる。
【００３５】
また、本実施形態では、ポリタンク１ｃに給湯管部４が形成された例を示したが、本考案はこれに限定されるものではない。例えば、ポリタンク１ａないしポリタンク１ｂに給湯管部４が形成されていてもよい。
【００３６】
更に、本実施形態では、ポリタンク１ａ、ポリタンク１ｂ、ポリタンク１ｃのいずれかに、作成された温水の給湯量を設定すると自動的に止水する自動止水栓が取り付けられていてもよい。自動止水栓を取り付けると、温水を使用する浴槽等で必要な量をあらかじめ設定することで、必要な量の温水を自動的に浴槽等へ給湯することができる。自動止水栓を取り付ける場合、市販の自動止水栓が設定可能な最大給湯量が４５０Ｌのため、連設できるポリタンクの最大数は２３個となる。すなわち、４５０Ｌ÷１８Ｌ＝２５本の計算となるが、ポリタンク底部に約１Ｌ程度の給湯できない量が残るため、連設できるポリタンクの最大数は２３個となる。２３個のポリタンクを連設したものを１単位として、複数単位を増設すれば、無限大の給湯が可能となる。
【００３７】
また更に、本実施形態では、給湯管４３の他端に、手動で止水する止水栓が取り付けられた例を示したが、本考案はこれに限定されるものではなく、給湯管部４であれば、どこに取り付けられていてもよい。例えば、給湯管４３の中間部に取り付けられていてもよい。また、止水栓４４が取り付けられていなくてもよい。給湯管部４に止水栓を取り付けると、止水したいときに、手動で自由に止水することができる。
【００３８】
更にまた、本実施形態では、ポリタンク１ａ、ポリタンク１ｂ、ポリタンク１ｃの全体が、断熱カバーで被覆されていてもよい。ポリタンク１ａ、ポリタンク１ｂ、ポリタンク１ｃの全体を断熱カバーで被覆すると、太陽熱で加熱された温水をすぐに使用しない場合でも、温水の温度を一定に保つことができる。このため、温水を使用したいときに浴槽等へ給湯することができる。
【００３９】
また、本実施形態では、送水管３３および給湯管４３に合成樹脂製のホースを使用する例を示したが、本発明はこれに限定されるものではなく、液体を通す管状のものであれば、他の材質で形成されたホースまたはパイプ等を使用してもよい。
【実施例】
【００４０】
弊社内においての本器実験機結果
本温水器の弊社内設置実験装置器の結果は以下の通りで良好な温水化効果を得ている。
［表１］
0003169931.tif 000003
同日の屋上設置（既存）温水器のデータ（浴室屋上に１０連結で設置、水量約１８０L）
［表２］
0003169931.tif 000004
参考  弊社内井戸水の年間平均温度16℃±1夏季の水道水温度２０℃±４℃  ２４℃
本太陽熱温水器に２２℃の水道水を給水して気温３５℃で９時間後の湯温は５８℃となる。
上記の実験結果から６月から９月の晴天時においては、入浴に充分な湯温を得られる事が証明できた。
また、春秋期においては常温水道水を入浴湯温約４２℃に加熱する場合より約３０％位の加熱により入浴適温が得られるので、約７０％程度のエネルギー効果が得られると推測する。
【産業上の利用可能性】
【００４１】
本考案は、使用者が室内外に容易に設置することができる太陽熱温水器を提供するため、太陽熱温水器の製造、販売に寄与するので、産業上の利用可能性を有する。
【符号の説明】
【００４２】
１ａ  ポリタンク
１ｂ  ポリタンク
１ｃ  ポリタンク
２  注水孔
３  送水管部
４  給湯管部
１０  太陽熱温水器
３１  送水孔部
３２  スルハル
３３  送水管
４１  給湯孔
４２  スルハル
４３  給湯管
４４  止水栓
５０  通気孔
【図１】
0003169931.tif 000005
【図２】
0003169931.tif 000006